(57)【要約】【課題】  簡単な構造で、立体鉄心変圧器の冷却効果を高める。【解決手段】  矩形枠形状の単相鉄心３個を上面から見た際に三角形状に配置し、２個の鉄心が合わさった３つの鉄心脚部を有する立体鉄心と、前記鉄心脚部のそれぞれに配置した３つのコイルを備える立体鉄心変圧器であって、前記３つのコイルが隣り合って形成される通風路と、前記立体鉄心の下側に取り付けた下部取付金具と、冷却風を送る冷却ファンと、を備え、前記下部取付金具に設けた開口部を通して、前記冷却ファンからの冷却風を前記通風路へ送ることを特徴とする。【選択図】  図３
2020194812.tif 000002
【特許請求の範囲】
【請求項１】
矩形枠形状の単相鉄心３個を上面から見た際に三角形状に配置し、２個の鉄心が合わさった３つの鉄心脚部を有する立体鉄心と、前記鉄心脚部のそれぞれに配置した３つのコイルを備える立体鉄心変圧器であって、
前記３つのコイルが隣り合って形成される通風路と、
前記立体鉄心の下側に取り付けた下部取付金具と、
冷却風を送る冷却ファンと、
を備え、
前記下部取付金具に設けた開口部を通して、前記冷却ファンからの冷却風を前記通風路へ送ることを特徴とする立体鉄心変圧器。
【請求項２】
請求項１に記載の立体鉄心変圧器において、
前記冷却ファンは、前記立体鉄心の下方であって且つ平面中央に配置したことを特徴とする立体鉄心変圧器。
【請求項３】
請求項２に記載の立体鉄心変圧器において、
平面中央部に対して、前記コイルの下方から、コイル間で構成される前記通風路を通り、前記コイルの上方へ冷却風が流れることで、冷却効果を高めることを特徴とする立体鉄心変圧器。
【請求項４】
請求項３に記載の立体鉄心変圧器において、
前記下部取付金具は、平面中央の位置に冷却ファンを配置するスペースを有し、当該スペースに前記冷却ファンを配置したことを特徴とする立体鉄心変圧器。
【請求項５】
請求項２に記載の立体鉄心変圧器において、
前記冷却ファンを、前記下部取付金具に着脱可能に取り付けたことを特徴とする立体鉄心変圧器。
【請求項６】
請求項１に記載の立体鉄心変圧器において、
前記下部取付金具と前記コイルとの間にコイル支えを備えることを特徴とする立体鉄心変圧器。
【請求項７】
請求項１に記載の立体鉄心変圧器において、
前記冷却ファンから前記下部取付金具に設けた開口部に冷却風を送る導風ダクトを備え、
前記冷却ファンは、前記下部取付金具の側方であって、冷却風を前記導風ダクトへ送る位置に設けたことを特徴とする立体鉄心変圧器。
【請求項８】
請求項１に記載の立体鉄心変圧器において、
前記立体鉄心の角部の隙間を密封する風漏れ防止板を備えることを特徴とする立体鉄心変圧器。
【請求項９】
請求項８に記載の立体鉄心変圧器において、
前記風漏れ防止板は、前記下部取付金具と一体化したことを特徴とする立体鉄心変圧器。
【請求項１０】
請求項１に記載の立体鉄心変圧器において、
冷却ファンの電源リード線の配線用の端子台を、前記下部取付金具の冷却ファン周辺部に配置したことを特徴とする立体鉄心変圧器。
【発明の詳細な説明】
【技術分野】
【０００１】
本発明は、立体鉄心変圧器の冷却構造に関する。
【背景技術】
【０００２】
特許文献１には、電磁鋼板を積層してなる略同一の円筒形状の３個の単位鉄心を、同一の軸Ｘを中心として対称に配置すると共に、各単位鉄心が、互いに他の２つの単位鉄心と一部が接するように配置して構成した変圧器鉄心が、開示されている(要約参照)。
【先行技術文献】
【特許文献】
【０００３】
【特許文献１】特開２００５−３３３０５７号公報
【発明の概要】
【発明が解決しようとする課題】
【０００４】
特許文献１記載の変圧器によれば、各単位鉄心に発生する磁束波形の歪がより小さくなることで、従来の三相３脚変圧器よりも鉄損が減少するようになり、変圧器の効率を向上させることができる。しかし、円筒形状の３個の単位鉄心が三角形の頂点位置に配置され、３個全てのコイルが隣り合う配置となっているため、熱源であるコイルが隣接し合う平面中央部に熱が籠もりやすいが、この点は考慮されていない。
【０００５】
本発明は、簡単な構造で、立体鉄心変圧器の冷却効果を高めることを目的とする。
【課題を解決するための手段】
【０００６】
上記課題を解決するための、本発明の「立体鉄心変圧器」の一例を挙げるならば、
矩形枠形状の単相鉄心３個を上面から見た際に三角形状に配置し、２個の鉄心が合わさった３つの鉄心脚部を有する立体鉄心と、前記鉄心脚部のそれぞれに配置した３つのコイルを備える立体鉄心変圧器であって、前記３つのコイルが隣り合って形成される通風路と、前記立体鉄心の下側に取り付けた下部取付金具と、冷却風を送る冷却ファンと、を備え、前記下部取付金具に設けた開口部を通して、前記冷却ファンからの冷却風を前記通風路へ送ることを特徴とする。
【発明の効果】
【０００７】
本発明によれば、冷却ファンにより、熱源が集中する平面中央部に対して、コイルの下方から、コイル間で構成される通風路を通り、コイルの上方へ送風することで、簡単な構造で、立体鉄心変圧器の冷却効果を高めることが可能となる。
【０００８】
上記した以外の課題、構成および効果は、以下の実施形態の説明により明らかにされる。
【図面の簡単な説明】
【０００９】
【図１】本発明の立体鉄心変圧器の一例を示す斜視図である。
【図２】図１の立体鉄心変圧器の鉄心を示す斜視図である。
【図３】実施例１の立体鉄心変圧器を示す正面図である。
【図４】実施例１の立体鉄心変圧器を示す下面図である。
【図５】実施例２の立体鉄心変圧器を示す斜視図である。
【図６】図５の変圧器の、Ａ平面の断面図である。
【図７】実施例３の立体鉄心変圧器の一部を示す斜視図である。
【図８】実施例４の立体鉄心変圧器の正面図である。
【発明を実施するための形態】
【００１０】
以下、本発明の実施例について、図面を用いて説明する。なお、実施例を説明するための各図において、同一の構成要素にはなるべく同一の名称、符号を付して、その繰り返しの説明を省略する。
【実施例１】
【００１１】
図１に立体鉄心変圧器の一例の斜視図を、図２に、図１の立体鉄心変圧器の立体鉄心の斜視図を示す。
【００１２】
立体鉄心変圧器１は、立体鉄心１１、コイル１２、下部取付金具１４、上部取付金具１３により構成されている。
【００１３】
立体鉄心１１は、矩形枠形状の同一磁路長の単相鉄心３個により構成され、鉄心３個を上面から見た際に三角形状に配置し、２個の鉄心が合わさった鉄心脚部の断面形状は略円形である。３つの鉄心脚部にはそれぞれ円筒状のコイル１２が配置されている。２個の鉄心が合わさった鉄心脚部の断面形状は略円形であることから、コイルは円筒状となる。立体鉄心１１の下側には下部取付金具１４が取り付けられ、上側には上部取付金具１３が取り付けられている。コイル１２は、下部取付金具１４および上部取付金具１３との間に配置したコイル支え１５により上下方向に支えられている。また、上部取付金具１３と下部取付金具１４とは取付金具連結スタッド１６により連結されている。
【００１４】
図３に実施例１の立体鉄心変圧器の正面図を、図４に下面図を示す。
【００１５】
下部取付金具１４は、平面中央の位置に冷却ファン２１を配置するスペースを有し、コイル１２の下方から、コイル間で構成される通風路１７を通り、コイル１２の上方へ冷却風を送るための円形状の開口部１４１を有する。変圧器鉄心１１の下方であって、下部取付金具１４の開口部１４１には、冷却ファン２１が取り付けられている。なお、使用場所への変圧器の設置後においても冷却ファン２１の取替作業が容易となるよう、下部取付金具１４には冷却ファン２１の取り出しスペースを確保した構造とする。そして、冷却ファン２１は、下部取付金具１４へ着脱可能に取り付けられている。変圧器の動作時に、冷却ファン２１を回転させることで、コイル１２の下方から、コイル間で構成される通風路１７を通り、コイル１２の上方へ冷却風３１を送風する。
【００１６】
立体鉄心変圧器においては、各脚のコイルが三角形の頂点位置に配置され、３個全てのコイルが隣り合う配置となっている。そのため、３脚の鉄心およびコイルの平面中央部に熱が籠もりやすい構造となっている。本実施例によれば、コイルの下方且つ平面中央に配置した冷却ファンにより、熱源が集中する平面中央部に対して、コイルの下方から、コイル間で構成される通風路を通り、コイルの上方へ冷却風を送風することで、簡単な構造で冷却効果を高めることができる。また、冷却ファンを下部取付金具へ着脱可能に取り付けているので、冷却ファンの点検、交換が容易である。
【実施例２】
【００１７】
図５に、本発明の実施例２の立体鉄心変圧器の斜視図を、図６に、図５のＡ平面の断面斜視図を示す。
【００１８】
実施例２の立体鉄心変圧器は、冷却ファン２１を下部取付金具１４の下部側方に配置し、冷却ファン２１から下部取付金具１４の開口部１４１へ向けて冷却風を導く導風ダクト４１を設けたものである。冷却ファン２１からの冷却風を、導風ダクト４１により下部取付金具１４の開口部１４１へ導く。そして、実施例１と同様に、コイル１２の下方から、コイル間で構成される通風路１７を通り、コイル１２の上方へ冷却風３１を送風する。
【００１９】
本実施例によれば、実施例１の効果に加えて、冷却ファン２１を下部取付金具１４の下部側方に配置したので、冷却ファン２１の点検、交換が容易となる。
【実施例３】
【００２０】
図７に、本発明の実施例３の立体鉄心変圧器の一部を示す。図７（ａ）は立体鉄心変圧器の下部取付金具に立体鉄心を取り付けた斜視図、図７（ｂ）は下部取付金具と密封部材の斜視図である。
【００２１】
図２に示すように、立体鉄心１１は、単相鉄心を組み合わせた角部に隙間５０があり、冷却ファンから冷却風を送風した際に、この隙間５０から冷却風が漏れてしまう。本実施例では、図７に示すように、角部の隙間５０を塞ぐように、立体鉄心１１のそれぞれの角部５０に密封部材である風漏れ防止板５１を取り付ける。風漏れ防止板５１は下部取付金具１４に一体化されているのが好ましい。
【００２２】
本実施例によれば、冷却ファンから送風した空気が立体鉄心の隙間から漏れることなくコイル間の通風路に送風されるため、冷却効果を高めることができる。
【実施例４】
【００２３】
図８に、本発明の実施例４の立体鉄心変圧器を示す。図８は立体鉄心変圧器の正面図である。
【００２４】
本実施例では、実施例１の内容に加えて、冷却ファン電源用のコイル側配線１２１を有し、冷却ファンの電源リード線２２の接続用の端子台２３を冷却ファン周辺部の下部取付金具１４に有する。そして、端子台２３により冷却ファン２１の電源リード線２２の接続を行う。
【００２５】
本実施例によれば、冷却ファンの取り換え時での配線作業性を向上することができる。
【符号の説明】
【００２６】
１…立体鉄心変圧器
１１…鉄心(立体鉄心)
１２…コイル
１２１…冷却ファン電源用コイル側配線
１３…上部取付金具
１４…下部取付金具
１４１…下部取付金具開口部
１５…コイル支え
１６…取付金具連結スタッド
１７…通風路
２１…冷却ファン
２２…冷却ファン電源リード線
２３…端子台
３１…冷却風
４１…導風ダクト
５０…鉄心の隙間
５１…風漏れ防止版
【図１】
2020194812.tif 000003
【図２】
2020194812.tif 000004
【図３】
2020194812.tif 000005
【図４】
2020194812.tif 000006
【図５】
2020194812.tif 000007
【図６】
2020194812.tif 000008
【図７】
2020194812.tif 000009
【図８】
2020194812.tif 000010